(57)【特許請求の範囲】
【請求項１】
機体フレーム２０上に脱穀部６を載置するとともに、その一側にエンジンＥと穀粒収容部３とを前後方向に配設してなる収穫機において、前記穀粒収容部３とエンジンＥとの外側にサブフロア９を、作業姿勢と格納姿勢とに切換支持可能に設けるとともに、サブフロア９の格納姿勢における規制片１５を、エンジンＥを覆うエンジンカバー１１の下部を機体フレーム２０に対し回動可能に取り付ける取付片に形成して、エンジンＥの下方で機体フレーム２０側から突出したことを特徴とする収穫機のサブフロア構造。
【発明の詳細な説明】
【０００１】
【発明の属する技術分野】
本発明は、コンバイン或いはハーベスタ等の収穫機に形成されるサブフロア構造に関する。
【０００２】
【従来の技術】
従来、コンバインに設置される穀粒収納部の側方にサブフロアを設け、このサブフロアを機体フレームに対して側方に突出させた作業姿勢と、上方に回動させて折り畳んだ格納姿勢とに切換支持可能に構成することは既に知られている。
【０００３】
【発明が解決しようとする課題】
上記のようなサブフロアの従来の構造によれば、サブフロア９が格納姿勢に切換えられる際に、このサブフロア９の必要以上の回動を規制する規制部材（ストッパ）はサブフロア９の表面に突出させて設けてこの規制部材を機体側に形成した接当部材に接当させてこのサブフロア９が機体側のエンジンカバー１１等に接触して損傷を防止するとともに、位置決めして固定を行うようにしている。
【０００４】
従って機体フレーム２０の表面に突設された規制部材が、サブフロア９上での作業や歩いて移動する際に邪魔になる欠点がある上、構造が複雑化しコスト高になる等の問題がある。
【０００５】
【課題を解決するための手段】
上記従来の問題を解決するために本発明の収穫機のサブフロア構造は、機体フレーム２０上に脱穀部６を載置するとともに、その一側にエンジンＥと穀粒収容部３とを前後方向に配設してなる収穫機において、前記穀粒収容部３とエンジンＥとの外側にサブフロア９を、作業姿勢と格納姿勢とに切換支持可能に設けている。
【０００６】
そして、サブフロア９の格納姿勢における規制片１５を、エンジンＥを覆うエンジンカバー１１の下部を機体フレーム２０に対し回動可能に取り付ける取付片を延長して形成して、エンジンＥの下方で機体フレーム２０側から突出している。
【０００７】
【発明の実施の形態】
以下、図を参照して本発明の実施形態につき説明する。
図１において、１は本発明に係る走行機体２上にホッパタンク方式の穀粒収納部３を備えたコンバインである。このコンバイン１は、クローラ式の走行装置１ａを備えた機体フレーム２０の右側前部に操縦操作部４ａと座席部４ｂとからなる運転席４を配置し、この座席部４ｂの下方にエンジンＥを設置している。
【０００８】
また、この機体フレーム２０の左側前部には従来の装置と同様な構成で刈取部５を昇降可能に支持するとともに、その後方に排藁処理用のカッタ６Ｋを装備した脱穀部６を着脱可能に載置し、前記運転席４の後方で脱穀部６の側方に後述する構造のホッパタンク７等からなる穀粒収納部３を構成している。
また、上記機体フレーム２０の左側外側には前後に所定の間隔を設けてサブフロア９の取付け用の取付ブラケット（取付部）２１（図２を突出形成し、この取付ブラケット２１に前記サブフロア９の前後に設けた取付片９０を取付ネジ９２を介して固定してサブフロア９を機体フレーム２０に着脱自在に取付けている。
【０００９】
なお、サブフロア９はこの機体フレーム２０に取付片９０に対して取付ピン９３を介して図３に示す実線の作業姿勢と、点線の格納姿勢に切換可能に支持されている。
そして作業姿勢においては、このサブフロア９側に設けたストッパ９５（図２）が取付ブラケット２１に接当することにより、側方への突出姿勢に固定されるようになっている。また、格納姿勢においてはサブフロア９の後方に突設したピン９６が機体フレーム２０側に設けたフック９７（図２、図３）によって係止されるとともに、前方側を後述する規制部材で適正位置に規制されることにより折畳み姿勢に支持することができるように構成している。
【００１０】
また、前記フック９７は機体フレーム２０の後部において取付ボルト９８によって着脱自在に取付けられたブラケット２２に枢支ピン２２ａで枢支されるとともに、コイルスプリング２２ｂで係合方向に付勢して取付けられている。
そして、前記機体フレーム２０の左側の後端部には支柱座２３を一体的に形成しており、この支柱座２３上に支柱１０をボルト２３ａによって着脱自在に取付けるようにしている。
【００１１】
この支柱１０は中途部にホッパタンク７の支持ブラケット１３及びカッタ６Ｋの取付回動支軸１２，１２を一体的に形成して強固に立設している。
以上の機体フレーム２０の構成においてホッパタンク７は、その穀粒の供給口７０（図２）の部分を脱穀部６から立設した揚穀筒３０によって着脱可能に取付け支持されている。
【００１２】
前記機体フレーム２０側に固定した、サブフロア９の格納姿勢を規制するための規制片１５は、エンジンＥの外側面を着脱可能に覆うように設けられたエンジンカバー１１（図３）の取付け構造とともに構成されている。
即ち、図４、図５に示すようにエンジンカバー１１は、その下部内面の補強用のリブ部１１ａに形成された複数のネジ孔１１ｂに所定の前後間隔をあけて取付片として機能すると共に、その先端をサブフロア９の表面に当接させる規制片１５を一体的に形成した取付板１３を取付ネジ１３ａで締結している。
【００１３】
そして、前記前後の規制片１５には、その下部に長さを異ならせた取付ピン１４，１４を前後方向に突設しているとともに、その外側寄りに規制部分を突出形成してしており、その先端部に緩衝用のゴム片１５ａを取付けてサブフロア９の表面と当接するようにしている。
一方、機体フレーム２０には前記取付ピン１４を係脱嵌挿可能に支持する取付孔１６ａを穿設した取付ブラケット１６，１６を前後の規制片１５と略等間に形成している。
【００１４】
この構成によってエンジンカバー１１は、取付ピン１４，１４を取付ブラケット１６，１６の取付孔１６ａ内にそれぞれ嵌挿することによって機体フレーム２０に開閉回動可能に支持することができる。そして、このエンジンカバー１１の上方を図示しない開閉用の固定具によってエンジンカバー１１の本体側のカバー枠と固定することによって、作業姿勢に装着することができる。
【００１５】
この状態において取付片の先端に形成した規制片１５の先端部は、エンジンカバー１１の外側面よりやや外方に突出している。そして機体フレーム２０の正面視（図４）で前記取付ピン１４より下方の外方側に位置する取付片９０の先端に設けた穴に嵌合した取付ピン９３でサブフロア９を支持しているので、この取付ピン９３を中心に、鎖線で示す作業姿勢から実線で示す折畳姿勢（格納姿勢）に回動できる。
【００１６】
この時、サブフロア９の基部側上面が前記規制片１５に接当し、それ以上の回動を規制されるので、サブフロア９とエンジンカバー１１との接触を防止してエンジンカバー１１の保護を図りながらサブフロア９を良好に格納姿勢にすることができるものである。
以上の構成によって、サブフロア９は作業姿勢から格納姿勢に切り換えられるとき、その前端側寄りを規制機構１５Ａを構成する規制片１５によって的確に規制された状態とし、更に後端寄りをストッパ９５によって係止され、更にピン９６にフック９７を係止させて格納姿勢に姿勢維持することができる。
【００１７】
また、前記規制機構１５Ａは、規制片１５をエンジンカバー１１を機体フレーム２０側に取付ける取付片を兼用して構成することによって、単純な構造に製作することができる等の利点がある。
そして前記のように構成されたサブフロア９は、その表面に従来の装置のように規制部材を突出することなく、フラットな面に形成することができるので作業を行い易くすることができる等の利点もある。
【００１８】
【発明の効果】
本発明は以上のように構成したことにより次の効果を奏する。
サブフロアは格納姿勢への切換時において、機体フレーム側から突出させた規制片によって回動規制されるので、エンジンカバー等の損傷を防止することができるとともに、サブフロアの表面上をフラット化することができ、そしてサブフロア上の作業や移動を円滑に行うことができる。
【００１９】
また、エンジンカバーを取付ける取付片を規制片に兼ねて構成することにより単純な構成のサブフロア構造を、廉価に提供することができる等の利点がある。
【図面の簡単な説明】
【図１】コンバインの斜視図である。
【図２】穀粒収納部３およびサブフロア９の要部を示す平面図である。
【図３】図２の背面図である。
【図４】規制機構１５Ａの構成を示す正面図である。
【図５】図４の要部を示す側面図である。
【符号の説明】
１  コンバイン                    ２  走行機体
３  穀粒収納部                    ３  穀類収納部
６  脱穀部                        ９  サブフロア
１１  エンジンカバー              １２  取付片
１３  ブラケット                  １４  取付ピン
１５  規制片                      １５Ａ  規制機構
２０  機体フレーム
９０  取付片                      ９３  取付ピン
Ｅ  エンジン
【図１】
0003540122.tif 000002
【図２】
0003540122.tif 000003
【図３】
0003540122.tif 000004
【図４】
0003540122.tif 000005
【図５】
0003540122.tif 000006